(57)【要約】      （修正有）【課題】開封操作が容易であると共に、且つ開封部の開閉操作をより小さな力で行うことが可能なプルタブの構造を提供する。【解決手段】プルタブ本体部の一端部に連設すると共に、連設部において折り返され、プルタブ本体部の外方に配置された補助タブ部とを備える。補助タブ部を引き起こすことにより、連設部が支点となって、プルタブ本体部の一端部が上方に引き上げられると共に、プルタブ本体部の他端部は、開封部より缶内部に押し入れられ、開封部が部分的に開封される。【選択図】図１
0003158431.tif 000002
【実用新案登録請求の範囲】
【請求項１】
缶容器の上端面部に設けられた開封部を開封するプルタブの構造であって、
上記缶容器の上端面部上に配置されたプルタブ本体部と、
上記プルタブ本体部に連設する補助タブ部と、
上記補助タブ部を引き起こした際に支点となりうる、上記補助タブ部と上記プルタブ本体部との連設部と、
上記補助タブ部を引き起こした際に、上記連設部を支点として、上記開封部より缶内部に押し入れられる上記プルタブ部の端部とを備えることを特徴とするプルタブの構造。
【請求項２】
上記開封部は円形に形成されると共に、上記開封部の外周円縁部には周方向に沿って溝部が形成され、
上記プルタブ本体部は他端部が丸みを帯びた長方形状に形成されると共に、上記他端部は上記開封部の上方に配置され、
上記プルタブ本体部と上記缶容器の上端面部とは、上記プルタブ本体部の長さ方向中央部からやや他端部寄りにおいてリベットにより固定されており、
上記補助タブ部はＵ字形に形成されると共に、上記プルタブ本体部の外周に沿って、上記プルタブ本体部の外縁と所定間隔寸法離間して配置され、
上記補助タブ部の先端部と上記プルタブ本体部の一端部とが互いに連設されていることを特徴とする請求項１に記載のプルタブの構造。
【請求項３】
上記補助タブ部の反連設部側端部は、上記缶容器の上端面部に対し、上方に向かって所定角度屈曲する指掛部が形成されていることを特徴とする請求項１または２いずれか１項に記載のプルタブの構造。
【請求項４】
上記プルタブ本体部と上記補助タブ部との連設部近傍には、上記プルタブ本体部の幅方向に沿った溝部が、所定間隔寸法離間して複数設けられていることを特徴とする請求項１又は２いずれか１項記載のプルタブの構造。
【考案の詳細な説明】
【技術分野】
【０００１】
本考案は、缶容器におけるプルトップ方式の開封部を開封するプルタブの構造に関する。
【背景技術】
【０００２】
現在、飲料等の缶容器には、缶切り等を用いずに、缶容器の上端面部に付けられた引き金（タブ）を手で引いて開封部を開封する所謂プルトップ開封方式が広く採用されている。
近年においては、ゴミの削減の為、上記タブが開封後も缶上端面部から外れない、所謂ステイオンタイプのプルタブが広く採用されている。
【０００３】
図３は、従来のステイオンタイプのプルトップ開封方式を採用した缶容器３０の平面図である。
図３に示すように、円筒形に形成された缶容器３０の上端面部３１の略中心部において、プルタブ３２がリベット３３によって取り付けられている。
上記プルタブ３２は丸みを帯びた略長方形に形成され、長さ方向略中央部から一端部３２ａにかけて、指を差し入れるための孔部３４が形成され、上記リベット３３は、上記プルタブ３２の長さ方向略中央部からやや他端部３２ｂ寄りに配設されている。
また、上記プルタブ３２の一端部３２ａには、上記缶容器３０の上端面部３１に対して所定角度上方に屈曲する指掛部３８が形成されている。
また、上記缶容器３０の上端面部３１には、開封部３５が形成されている。
上記開封部３５は略円形に形成されると共に、上記開封部３５の周方向に沿って溝部３６が形成されている。
上記プルタブ３２の長さ方向他端部３２ｂは、開封部３５の上方に配置されている。
また、上記缶容器３０の上端面部３１において、上記プルタブ３２の長さ方向一端部３２ａに対向する位置には、凹部３７が形成されている。
【０００４】
上記開封部３５を開封する場合は、上記凹部３７と上記プルタブ３２の長さ方向一端部３２ａとの間隙から、上記指掛部３８に指を掛け、上記孔部３４に指を差し入れて、上方に向かって引きあげることによって、上記リベット３３が支点となって、上記プルタブ３２の長さ方向他端部３２ｂには、上記開封部を下方向に押圧する力が作用する。
これにより、上記プルタブ３２の長さ方向他端部３２ｂによって上記開封部３５は、缶容器３０の内方に向かって押圧され、上記溝部３６に沿って引裂かれて缶容器３０の内方に折れ曲がり、上記開封部３５が開封される。
【０００５】
図３に示す形態のプルタブ３２の場合、梃子の原理に基づき、支点となるリベット３３から力点となるプルタブ３２の一端部３２ａまでの距離寸法を、上記リベット３３から作用点となるプルタブ３２の他端部３２ｂまでの距離寸法に対して大きく確保することによって、より小さな力で開封操作が可能となる。
しかしながら、開封操作を行うためには、上記プルタブ３２の一端部３２ａと、缶容器３０の上端面部３１の径方向端部３１ａとの離間寸法を、少なくとも指を差し入れ可能な寸法とする必要があり、上記プルタブ３２の長さ寸法は上記要件を満たす範囲に制約されるため、女性、若しくは子供にとっては、開封に大きな力が必要となり、開封操作が困難であると共に、爪等を痛める恐れがあるという不具合を有していた。
【０００６】
上記不具合を解決するため、図４に示すように、プルタブ本体部４１に補助タブ部４２を取り付けたプルタブ構造４０が提案されている（特許文献１）。
図４に示すように、上記特許文献１に示すプルタブ構造４０は、飲料等の円筒形状の缶容器４３の上端面部４４に上記プルタブ本体部４１がリベット４５によって取り付けられている。
上記プルタブ本体部４１は略円形に形成され、中央部に指を差し入れるための孔部４６が形成されると共に、径方向一端部４１ａに突出部４７が連設され、上記突出部４７と上記プルタブ本体部４１との連設部４８ａの近傍において、上記リベット４５によって上記缶容器４３の上端面部４４に固定されている。
また、上記プルタブ本体部４１の径方向他端部４１ｂには、リング状の補助タブ部４２が連設されると共に、上記補助タブ部４２は、上記プルタブ本体部４１との連設部４８ｂにおいて折り返され、上記孔部４６内方に折畳まれて配置されている。
また、上記缶容器４３の上端面部４４には、開封部４９が形成され、上記開封部４９は略円形に形成されると共に、周方向に沿って溝部５０が形成されている。
また、上記突出部４７は、上記開封部４９の上方に配置されている。
【０００７】
上記開封部４９を開封する場合は、上記補助タブ部４２を上方に向かって爪等を用いて引き起し、引き起こした上記補助タブ部４２を指で把持して上記缶容器４３の径方向内方に向かって引くことによって、上記連設部４８を介して上記プルタブ本体部４１の径方向他端部４１ｂが引き上げられる。
これにより、上記リベット４５が支点となって、上記突出部４７には、上記開封部４９を下方向に押圧する力が作用する。
これにより、上記突出部４７によって上記開封部４９は、上記溝部５０に沿って引裂かれて缶容器４３の内方に折れ曲がり、上記開封部４９は開封される。
【０００８】
上記特許文献１に係る発明にあっては、上記補助タブ部４２を引き起こすことよって、支点となるリベット４５から作用点となる突出部４７の先端部４７ａまでの距離寸法に対して、支点となるリベット４５から、力点となる補助タブ部４２の先端部４２ａまで距離寸法を大きく確保できるため、より小さな力で上記開封部４９を開封することができる。
しかしながら、上記補助タブ部４２は、上記プルタブ本体部４１の孔部４６の内方に配置されていることから、爪が伸びていない場合等は、上記補助タブ部４２に指を掛け難く、上記補助タブ部４２の引き起こし操作が行い難い旨の不具合を有していた。
また、開封部４９を開封するためには、上記溝部５０に沿って缶容器４３の金属部材を一気に引裂く力が必要となるため、上記特許文献１に係る発明であっても、開封部４９を開封するための力を軽減する効果としては不十分であった。
【特許文献１】特開平１１−４９３６０号公報
【考案の開示】
【考案が解決しようとする課題】
【０００９】
本考案の解決する課題は、開封操作が容易であると共に、且つ開封部の開閉操作をより小さな力で行うことが可能なプルタブの構造を提供することにある。
【課題を解決するための手段】
【００１０】
上記課題を解決するために、請求項１に記載の考案に係るプルタブの構造は、缶容器の上端面部に設けられた開封部を開封するプルタブの構造であって、
上記缶容器の上端面部上に配置されたプルタブ本体部と、上記プルタブ本体部に連設すると共に上記プルタブ本体部の外方に配置された補助タブ部と、上記補助タブ部を引き起こした際に支点となりうる上記プルタブ本体部と上記補助タブ部との連設部と、上記補助タブ部を引き起こした際に、上記連設部を支点として、上記開封部より缶内部に押し入れられる上記プルタブ部の他端部とを備えることを特徴とする
従って、上記補助タブ部の引き起こし操作と連動して、上記開封部の一部が開封状態となる。
【００１１】
また、請求項２に記載の考案に係るプルタブの構造は、上記開封部は円形に形成されると共に、上記開封部の外周円縁部には周方向に沿って溝部が形成され、上記プルタブ本体部は他端部が丸みを帯びた長方形状に形成されると共に、上他端部は上記開封部の上方に配置され、上記プルタブ本体部と上記缶容器の上端面部とは、上記プルタブ本体部の長さ方向中央部からやや他端部寄りにおいてリベットにより固定されており、上記補助タブ部はＵ字形に形成されると共に、上記プルタブ本体部の外周に沿って、上記プルタブ本体部の外縁と所定間隔寸法離間して配置され、上記補助タブ部の先端部と上記プルタブ本体部の一端部とが互いに連設されていることを特徴とする。
【００１２】
また、請求項３に記載の考案に係るプルタブの構造は、上記補助タブ部の反連設部側端部は、上記缶容器の上端面部に対し、上方に向かって所定角度屈曲する指掛部が形成されていることを特徴とする。
従って、上記補助タブ部と上記缶容器の上端面部との間には、指を挿入しうる空隙が形成される。
【００１３】
また、請求項４に記載の考案に係るプルタブの構造は、上記プルタブ本体部と上記補助タブ部との連設部近傍には、上記プルタブ本体部の幅方向に沿った溝部が所定間隔寸法離間して複数設けられていることを特徴とする。
従って、上記補助タブ部を引き上げた際に、上記溝部に沿って上記プルタブ本体部が屈曲し、上記プルタブ本体部の一端部が引き上げられる。
【考案の効果】
【００１４】
請求項１及び２の考案にあっては、補助タブ部を引き起こすことにより、上記補助タブ部とプルタブ本体部との連設部が支点となって、上記プルタブ本体部の一端部が上方に引き上げられ、これに連動して、上記プルタブ本体部の他端部は上記開封部より缶内部に押し入れられ、上記開封部の一部分が開封される。
上記操作の後、引き起こした補助タブ部に指を掛けて、上記缶容器の径方向内方に引くことによって、上記プルタブ本体部の他端部がさらに上記缶容器の内方に押し込まれ、上記開封部がさらに大きく開封される。
以上のように、開封部の開封が２段階に亘って行われるため、開封操作が容易であると共に、且つ開封部の開閉操作をより小さな力で行うことが可能なプルタブの構造を提供することができる。
【００１５】
また、請求項３に記載の考案にあっては、上記補助タブ部の反連設部側端部は、上記缶容器の上端面部に対し、上方に向かって所定角度屈曲する指掛部が形成されていることから、上記補助タブ部と上記缶容器の上端面部との間には、指を挿入しうる空隙が形成され、上記補助タブ部の引きあげ操作がより行い易くなる。
【００１６】
また、請求項４に記載の考案にあっては、上記プルタブ本体部と上記補助タブ部との連設部近傍には、上記プルタブ本体部の幅方向に沿った溝部が所定間隔寸法離間して複数設けられていることから、上記補助タブ部の引きあげ操作に連動して、上記プルタブ本体部の一端部が上記溝部に沿って柔軟に屈曲するため、上記補助タブ部の引き上げ操作がより小さな力で行うことができると共に、複数の溝部を設けることによって、上記プルタブ本体部の一部に応力が集中して、上記プルタブ本体部が折れる等の事象を防止することができる。
【図面の簡単な説明】
【００１７】
【図１】本考案の一実施の形態を示し、実施例の形態におけるプルタブ構造を有する缶容器の（ａ）は平面図であり、（ｂ）は上端部径方向断面図である。
【図２】本考案の一実施の形態を示し、実施例の形態において、開封部の開放操作手順を示す缶容器の上端部径方向断面図である。
【図３】従来のプルタブ構造を有する缶容器の平面図である。
【図４】別の従来のプルタブ構造を有する缶容器の平面図である。
【考案を実施するための最良の形態】
【００１８】
本考案を実施するための形態について、添付図面を用いて説明する。
図１（ａ）に示すように、本実施例に係るプルタブの構造１０は缶容器１１の上端面部１２に配置された開封部１３及びプルタブ本体部１４と、上記プルタブ本体部１４の一端部１４ａに連設部１５を介して連設されると共に、上記プルタブ本体部１４の外方に配置され、引き起こすことによって、上記連設部１５を支点として、上記プルタブ本体部１４の一端部１４ａを上方に引き上げると共に、上記プルタブ本体部１４の他端部１４ｂを上記開封部１３より上記缶容器１１の内部に押し入れ、上記開封部１３を開封する補助タブ部１６とを備えている。
また、上記開封部１３は円形に形成されると共に、上記開封部１３の外周円縁部には周方向に沿って溝部１７が形成されている。
また、上記プルタブ本体部１４は他端部１４ｂが丸みを帯びた略長方形状に形成されると共に、上他端部１４ｂは上記開封部１３の上方に配置され、上記プルタブ本体部１４と上記缶容器１１の上端面部１２とは、上記プルタブ本体部１４の長さ方向中央部からやや他端部１４ｂ寄りにおいてリベット１８により固定されている。
また、上記補助タブ部１６は略Ｕ字形に形成されると共に、上記プルタブ本体部１４の外周に沿って、上記プルタブ本体部１４の外縁と所定間隔寸法離間して配置され、上記補助タブ部１６の先端部１６ａ、１６ｂと上記プルタブ本体部１４の一端部１４ａとが互いに連設部１５を介して連設され、図１（ｂ）に示すように、上記補助タブ部１６の反連設部側端部１６ｃは、上記缶容器１１の上端面部１２に対し、上方に向かって所定角度屈曲する指掛部１９が形成され、図１（ａ）に示すように、上記プルタブ本体部１４と上記補助タブ部１６との連設部１５の近傍には、上記プルタブ本体部１４の幅方向に沿った溝部２０、２０、２０、２０、２０が、所定間隔寸法離間して設けられている。
【実施例１】
【００１９】
以下に本実施例の構成について添付図面を用いて詳述する。
図１は、本実施例にかかるプルタブ構造１０を有する缶容器１１の（ａ）は
平面図であり、（ｂ）は上端部径方向断面図を示している。
図１に示すように上記缶容器１１は円筒形に形成され、主に液体飲料が封入
されている。
【００２０】
上記缶容器１１の上端面部１２は円形であり、径方向一端部よりに略円形の
開封部１３が形成されている。
上記開封部１３は、周方向に沿って形成された溝部１７を備え、上記溝部１
７における厚さ寸法は、上記上端面部１２の他の部分よりも小さく形成されて
いる。
【００２１】
また、プルタブ本体部１４の他端部１４ｂは半円形に形成され、上記開封部
１３と重複部を有して上記開封部１３の上方に配置されている。
【００２２】
また、上記プルタブ本体部１４の一端部１４ａ側には、略正方形の孔部２１
が形成され、幅方向両端部には、溝部２０、２０、２０、２０、２０が所定寸
法離間して、上記プルタブ本体部１４の長さ方向に沿って配設されている。
【００２３】
また、補助タブ部１６は、連設部１５において折り返され、上記プルタブ本
体部１４の側辺部２２と他端部１４ｂを取り囲むように、上記プルタブ本体部
１４と所定寸法離間して配置され、図１（ｂ）に示すように、上記補助タブ部
１６の反連設部側端部１６ｃには、屈曲部２３を介して上方に屈曲する指掛部
１９が形成されている。
【００２４】
以下に本実施例の作用について図面を用いて説明する。
図２は、本実施例に係るプルタブ構造１０における、開封部１３の開封手順を示している。
図２に示すように、第一の操作２４において、上記指掛部１９に指先を掛けて、図中矢印Ａの方向に、補助タブ部１６を引き上げる。
上記の後、第二の操作２５において、さらに補助タブ部１６を図中Ａの矢印に沿って引き上げた場合、上記補助タブ部１６とプルタブ本体部１４との連設部１５が、缶容器１１の上端面部１２に当接しつつ、径方向内方に移動する。
上記と連動して、上記連設部１５が支点となって、上記プルタブ本体部１４の一端部１４ａには、上方に向かって応力が働き、上記プルタブ１４の一端部１４ａが上方に引き上げられる。
この際、上記プルタブ本体部１４の一端部１４ａは、溝部２０、２０、２０、２０に沿って屈曲するため、上記プルタブ本体部１４の一点に力が集中することなく、柔軟に屈曲する。
【００２５】
さらに、上記第二の操作２５によって、上記プルタブ本体部１４の一端部１４ａが上方に引き上げられることによって、リベット１８が支点となって、上記プルタブ本体部１４の他端部１４ｂには下方に向かって上記開封部１３を押圧する力が作用し、上記開封部１３の溝部１７の一部が裂けて、上記プルタブ本体部１４の他端部１４ｂの先端が上記開封部１３より缶容器１１の内部に押し入れられる。
【００２６】
また、第三の操作２６において、上記補助タブ部１６のＵ字部に指を挿入して、上記補助タブ部１６をさらに図中矢印Ａの方向に引き上げ、第四の操作２７において、指２８を径方向外方から上記補助タブ部１６に差し入れ、図中矢印Ｂの方向に引き上げる。
上記によって、再びリベット１８が支点となり、上記プルタブ本体部１４の他端部１４ｂはより深く上記開封部１３内方に押し入れられ、上記開放部が完全に開放される。
【００２７】
本実施例においては、開封部１３の開封が第一の操作２４と第四の操作２７の２段階で行われるため、特許文献１に係る発明と比較して、開封部１３の開封に必要な力が分散され、より小さな力で開封部１３を開封することができる。
また、特許文献１と比較して、補助タブ部１６がプルタブ本体部１４の外方に配置されているため、補助タブ部１６を引き上げる操作がより容易となる。
【００２８】
従って、女性及び子供のように力が小さい者であっても容易に缶容器の開封が可能であると共に、補助タブ部の引き上げが容易であるため、爪が伸びていない状態でも、簡単に引き上げ操作が可能であり、指や爪を傷める虞がない。
【００２９】
なお、本実施例に挙げたプルタブ本体部の形状及び、補助タブ部の形状につ
いては、本考案の範囲を逸脱しない限り、適宜変更しても、本実施例と同様の
作用効果を得ることができる。
【産業上の利用可能性】
【００３０】
本考案は、缶容器におけるプルトップ方式の開封部を開封するプルタブの構
造に適用することが可能である。
【符号の説明】
【００３１】
１０  プルタブ構造
１１  缶容器
１２  缶容器上端面部
１３  開封部
１４  プルタブ本体部
１４ａプルタブ本体部の一端部
１４ｂプルタブ本体部の他端部
１５  連設部
１６  補助タブ部
１６ａ補助タブ部の先端部
１６ｂ補助タブ部の先端部
１６ｃ補助タブ部の反連設部側端部
１７  溝部
１８  リベット
１９  指掛部
２０  溝部
２１  プルタブ本体部の孔部
２２  プルタブ本体部の側辺部
２３  屈曲部
２４  第一の操作
２５  第二の操作
２６  第三の操作
２７  第四の操作
２８  指
３０  缶容器
３１  上端面部
３１ａ上端面部の径方向一端部
３２  プルタブ
３２ａプルタブの一端部
３２ｂプルタブの他端部
３３  リベット
３４  孔部
３５  開封部
３６  溝部
３７  凹部
３８  指掛部  
４０  プルタブ構造
４１  プルタブ本体部
４１ａプルタブ本体部の径方向一端部
４１ｂプルタブ本体部の径方向他端部
４２補助タブ部
４２ａ補助タブ部先端部
４３  缶容器
４４  缶容器の上端面部
４５  リベット
４６  孔部
４７  突出部
４７ａ突出部の先端部
４８ａ突出部とプルタブ本体部との連設部
４８ｂ補助タブ部とプルタブ本体部との連設部
４９  開封部
５０  溝部
【図１】
0003158431.tif 000003
【図２】
0003158431.tif 000004
【図３】
0003158431.tif 000005
【図４】
0003158431.tif 000006
【手続補正書】
【提出日】平成22年2月3日(2010.2.3)
【手続補正１】
【補正対象書類名】実用新案登録請求の範囲
【補正対象項目名】請求項１
【補正方法】変更
【補正の内容】
【請求項１】
缶容器の上端面部に設けられた開封部を開封するプルタブの構造であって、
上記缶容器の上端面部上に配置されたプルタブ本体部と、
上記プルタブ本体部に連設する補助タブ部と、
上記補助タブ部を引き起こした際に支点となりうる、上記補助タブ部と上記プルタブ本体部との連設部と、
上記補助タブ部を引き起こした際に、上記連設部を支点として、上記開封部より缶内部に押し入れられる上記プルタブ本体部の端部とを備えることを特徴とするプルタブの構造。
【手続補正２】
【補正対象書類名】明細書
【補正対象項目名】０００７
【補正方法】変更
【補正の内容】
【０００７】
上記課題を解決するために、請求項１に記載の考案に係るプルタブの構造は、缶容器の上端面部に設けられた開封部を開封するプルタブの構造であって、
上記缶容器の上端面部上に配置されたプルタブ本体部と、上記プルタブ本体部に連設すると共に上記プルタブ本体部の外方に配置された補助タブ部と、上記補助タブ部を引き起こした際に支点となりうる上記プルタブ本体部と上記補助タブ部との連設部と、上記補助タブ部を引き起こした際に、上記連設部を支点として、上記開封部より缶内部に押し入れられる上記プルタブ本体部の他端部とを備えることを特徴とする
従って、上記補助タブ部の引き起こし操作と連動して、上記開封部の一部が開封状態となる。